(57)【要約】【課題】  機器などの対象に人が接近したことを検知して、対象から音声通報がなされるが、接近する人が異なっても同一内容の音声情報が通報され、接近者に応じて真に必要な音声情報は得られなかった。【解決手段】  対象に接近する人から発信される区分データを受信し識別する受信判別部１４、人感センサ１５などの各種センサ４１、区分データとセンサ４１からの出力信号が論理条件に合致した場合に、複数の音声情報の中から対応する音声情報を選択的にデータメモリ１７から読み出し、スピーカ１８から接近者へ通報する。【選択図】  図５
2006058941.tif 000002
【特許請求の範囲】
【請求項１】
機器などの対象に接近する人から発信される区分データを受信する受信部と、この受信部にて受信された前記区分データを識別する判別部と、複数種類の音声情報を格納するメモリ部と、前記判別部にて識別された前記区分データに対応する音声情報を前記メモリ部に格納されている前記複数種類の音声情報から選択的に読み出し、この読み出された前記音声情報を出力するスピーカとを具備することを特徴とする音声通報装置。
【請求項２】
機器などの対象に接近する人から発信される区分データを受信する受信部と、この受信部にて受信された前記区分データを識別する判別部と、複数種類の音声情報を格納するメモリ部と、センサと、前記判別部にて識別された前記区分データと前記センサからのセンサ出力とが入力される論理条件設定部と、この論理条件設定部からの出力に対応する音声情報を前記メモリ部に格納されている前記複数種類の音声情報から選択的に読み出し、この音声情報を出力するスピーカとを具備することを特徴とする音声通報装置。
【請求項３】
前記センサは、前記対象に人が接近したことを検知する人感センサであることを特徴とする請求項２記載の音声通報装置。
【請求項４】
前記センサは、温度、湿度、照度などの前記対象近傍の状況を検知するセンサであることを特徴とする請求項２又は３記載の音声通報装置。
【請求項５】
前記対象に接近する人には非接触データ発信部が装着されていることを特徴とする請求項１乃至４記載の音声通報装置。
【請求項６】
前記非接触データ発信部は赤外線パルス発信部であることを特徴とする請求項５記載の音声通報装置。
【請求項７】
前記メモリ部に格納する音声情報を追加・更新するためのデータ入力端子を具備することを特徴とする請求項１乃至６記載の音声通報装置。
【発明の詳細な説明】
【技術分野】
【０００１】
本発明は、対象を識別して通報内容を選択可能とした音声通報装置に関する。
【背景技術】
【０００２】
機械や装置などの対象が発する音声により、人へ情報を伝達する手段としては現在様々なものがある。代表的なものでは、自動ドアに連動し来客を伝えるもの、内部に収められた絵画の説明を行う額縁（特許文献１参照）、工事現場内の危険区域で使用する音声と標識を合わせた装置（特許文献２参照）など、様々な装置が知られている。
【０００３】
特許文献１に開示されている額縁は、内部に人感センサ、温度・湿度センサ、音声信号記憶素子、スピーカなどが内蔵されている。額物内の絵画を鑑賞すべく見学者がこの額縁に近づくと、額縁内の人感センサがこれを検知して、記憶素子に格納されている音声による絵画説明などがスピーカから流される。また、額縁内に鏡が装着されている場合では、額縁内の温度・湿度センサが温度・湿度を検出すると、その温度・湿度に応じて音声信号選択回路からふさわしい音声を選択してスピーカから流すことも可能となっている。例えば、温度・湿度とも高いときには爽やかな音楽や自然の音が選択されるようにセットしておくことも可能な構成となっている。
【０００４】
また、特許文献２には、工事現場などに設置される注意標識に音声通報機能を組み込んだ音声報知標識が開示されている。すなわち、文字や絵で注意事項が描かれている標識内部に、赤外線センサからなる人感センサ、音声データ記憶部、スピーカなどが組み込まれており、人感センサが人が近づいたことを検知すると、記憶されている注意事項を音声にて報知するように構成されている。夕暮れ時など周囲が薄暗くなった場合には標識が見にくくなり、音声による報知が有効となる。
【特許文献１】特開平１０−２２５３４９号公報
【特許文献２】実開平０５−０２３１７９号公報
【発明の開示】
【発明が解決しようとする課題】
【０００５】
しかしながら、特許文献１においては、額縁の前にいかなる人が接近してきても常に同一の音声が流されることになり、必ずしもその人が必要としている情報が流されない。額縁内部に音声選択スイッチは設けられてはいるが、係員などが適宜音声の種類を変更可能としている構成であって、接近してくる人の種別に応じて音声情報が自動的に選択される構成・機能は有していない。また、額縁型鏡においては、温度・湿度に応じて最適な音声が選択される機能を有してはいるが、やはり額縁型鏡に接近した人の種別に応じて音声情報を選択する構成・機能は開示されていない。
【０００６】
また、特許文献２においては、工事現場などに設置される注意標識に人が近づくと注意を告げる音声が流されるが、特許文献１と同様に注意標識に近づく人の種別に係わらず、同一の音声が報知される。従って、様々な人が注意標識に接近するが各々の人にとって最も必要な情報が音声によって選択的に報知されることはない。
【０００７】
本発明は、対象に接近する人の種別を識別して、あらかじめ設定されている音声情報を選択的に通報することを可能とした音声通報装置を提供することを目的とする。
【課題を解決するための手段】
【０００８】
本発明の請求項１に係わる音声通報装置は、機器などの対象に接近する人から発信される区分データを受信する受信部と、この受信部にて受信された前記区分データを識別する判別部と、複数種類の音声情報を格納するメモリ部と、前記判別部にて識別された前記区分データに対応する音声情報を前記メモリ部に格納されている前記複数種類の音声情報から選択的に読み出し、この読み出された前記音声情報を出力するスピーカとを具備することを特徴とする。
【０００９】
本発明の請求項２に係わる音声通報装置は、機器などの対象に接近する人から発信される区分データを受信する受信部と、この受信部にて受信された前記区分データを識別する判別部と、複数種類の音声情報を格納するメモリ部と、センサと、前記判別部にて識別された前記区分データと前記センサからのセンサ出力とが入力される論理条件設定部と、この論理条件設定部からの出力に対応する音声情報を前記メモリ部に格納されている前記複数種類の音声情報から選択的に読み出し、この音声情報を出力するスピーカとを具備することを特徴とする。
【００１０】
本発明の請求項３に係わる音声通報装置は、前記センサが前記対象に人が接近したことを検知する人感センサであることを特徴とする。
【００１１】
本発明の請求項４に係わる音声通報装置は、前記センサが、温度、湿度、照度などの前記対象近傍の状況を検知するセンサであることを特徴とする。
【００１２】
本発明の請求項５に係わる音声通報装置は、前記対象に接近する人には非接触データ発信部が装着されていることを特徴とする。
【００１３】
本発明の請求項６に係わる音声通報装置は、前記非接触データ発信部は赤外線パルス発信部であることを特徴とする。
【００１４】
本発明の請求項７に係わる音声通報装置は、前記メモリ部に格納する音声情報を追加・更新するためのデータ入力端子を具備することを特徴とする。
【発明の効果】
【００１５】
機器などの対象に人が接近した際に、接近した人の種別の違いに対応して対象から異なる音声通報がなされるため、個々の人にとって真に必要とする音声情報が提供できる。
【発明を実施するための最良の形態】
【００１６】
以下に本発明に係わる実施形態を図を参照して説明する。図１、図２には発・変電所などで種々の盤や機器を対象に作業を行う場合を例に説明する。作業に当たる作業員にはいろいろな役割が厳格に割り当てられており、一つの盤や機器に対し作業員の種別に応じてそれぞれ作業内容が異なるとともに、注意すべき事項も相違する。
【００１７】
図１に代表的な作業員区分を示した。図１（ａ）は工事担当者１１ａのグループ、図１（ｂ）は試験担当者１１ｂのグループ、図１（ｃ）は改造員１１ｃのグループ、図１（ｄ）はその他作業者１１ｄのグループである。そして、図１（ｄ）のその他作業者１１ｄ以外の作業者は、自己の属するグループ固有のデータが格納されている識別情報発信機１２ａ、１２ｂ、１２ｃを装着している。
【００１８】
この識別情報発信機１２ａ、１２ｂ、１２ｃには、少なくとも所持者の属する作業員区分データが格納されており、このデータは赤外線パルスにて識別情報発信機外へ出力することができる構成となっている。すなわち、識別情報発信機１２ａには工事担当者であることを示すデータが格納されており、同様に１２ｂには試験担当者であることを示すデータ、１２ｃには改造員であることを示すデータがそれぞれ格納されている。また、識別情報発信機１２ａ、１２ｂ、１２ｃの内部には図示しないが電源、データ記憶部、赤外線発信部などが組み込まれている。
【００１９】
なお、この例では赤外線を利用した識別情報発信機を示したが、他に電波を利用した無線タグを用いることも可能である。更に、識別情報発信機内には前述した作業員区分データのみならず、作業員の所属、氏名、従業員番号など所持者個人の認証データを格納しておくことも可能である。その他作業者は識別情報発信機を装着しないが、本願発明の構成・機能を明確にするために作業員区分データが格納された識別情報発信機は不所持の状態とした。作業員区分データが格納されていない一般的な個人認証データが格納された識別情報発信機を所持することは十分にあり得る。
【００２０】
さて、図２には各区分に属する作業員が同一の機器１３に作業のために接近したときの状況と、本発明に係わる音声通報装置の主要な構成を示したものである。機器１３には受信判別部１４、人感センサ１５が設けられておりこれらは制御部１６に接続されている。制御部１６にはデータメモリ１７、スピーカ１８が接続されている。データメモリ１７には、各作業者区分毎に異なる注意音声データが格納されている。次にこの機器１３に異なる作業員区分に属する作業者が接近してきた状態を図２によって説明する。なお、各作業員が装着している識別情報発信機１２ａ、１２ｂ、１２ｃからは赤外線パルスを間欠的に発信している。
【００２１】
図２（ａ）には機器１３に工事担当者１１ａが接近した状態を示してある。工事担当者１１ａに装着されている識別情報発信機１２ａからは、作業員区分データが赤外線パルスにて発信されており、この赤外線パルスは受信判別部１４にて受信される。赤外線パルスは比較的遠距離から機器１３にて受信されるが、作業者が機器１３に十分に接近したことを更に検知するために、人感センサ１５が設けられている。
【００２２】
工事担当者１１ａが機器１３に接近すると、識別情報発信機１２ａからの作業員区分データが受信判別部１４にて受信され、更に人感センサ１５が工事担当者１１ａを検知する。制御部１６では、接近した作業員が工事担当者であることを識別すると、データメモリ１７から工事担当者向けの注意文言データを出力して、スピーカ１８から『待て１秒！』との音声情報を出力して工事担当者１１ａに対して注意を喚起する。
【００２３】
同様に図２（ｂ）では、同一の機器１３に試験担当者１１ｂが接近した状態を示してある。識別情報発信機１２ｂからの試験担当者であるとのデータに基づき、データメモリから対応する注意文言を出力して、スピーカ１８から『検電はよいか！』との音声情報を出力して試験担当者１１ｂに対して注意を喚起する。同様に図２（ｃ）では、改造員１１ｃに対して『図面確認よいか！』との音声情報を出力して改造員１１ｃに対して注意を喚起する。
【００２４】
さて、図２（ｄ）にはその他作業者１１ｄが機器１３に接近してきた場合の構成を示してある。その他作業者１１ｃは識別情報発信機を装着していないため、機器１３への接近は人感センサ１５にて検知される。制御部１６では人感センサ１５のみからの検知結果に基づいてデータメモリから該当する音声情報として『危険区域注意！』との音声情報を出力してその他作業員１１ｄに対して注意を喚起する。
【００２５】
このように本願発明に係わる音声通報装置にあっては、作業区分の異なる複数の作業者１１ａ、１１ｂ、１１ｃが機器１３に接近すると、この接近を各作業者１１ａ、１１ｂ、１１ｃが装着している識別情報発信機１２ａ、１２ｂ、１２ｃから間欠的に出力している赤外線パルスを機器１３の受信判別部１４にて受信する。各作業者１１ａ、１１ｂ、１１ｃからの赤外線パルスには作業者の作業者区分データも含まれており、受信した作業者区分データに対応する音声情報をデータメモリ１７から出力してスピーカ１８から通報がなされる。
【００２６】
機器１３には人感センサ１５が備えられており、作業者１１ａ、１１ｂ、１１ｃが機器１３から所定距離内の範囲に入ったことを検出するようになっている。この結果、作業者１１ａ、１１ｂ、１１ｃからの赤外線パルスがかなり遠方から機器１３に到達していても、機器１３の人感センサ１５が作業者１１ａ、１１ｂ、１１ｃを検知するまでは音声情報の通報がなされないように構成されている。すなわち、重要な音声情報が確実に作業者１１ａ、１１ｂ、１１ｃに伝達されることになる。なお、その他作業者１１ｄのように識別情報発信機を装着していなくとも、人感センサ１５がその他作業者１１ｄを検知すると、人感センサ１５のみにて検知した接近者向けの音声情報が通報されるようになっている。
【００２７】
また、データメモリ１７内のデータはデータ入力端子２６から随時修正、追加が可能である。この結果、前述した例では作業者区分を工事担当者、試験担当者、改造員、その他作業者としたが、更にこれに加えて他の作業者区分を追加し、音声通報データも追加することが可能であり、同一作業者区分の者に対しても異なる日には異なる音声通報内容としたり、作業開始時と作業終了時の音声通報内容を変更するように設定することも可能である。
【００２８】
図３には本発明に係わる他の実施形態を示してあるが、美術館などで絵画１９の鑑賞のために訪れた観客への音声案内に適用した例である。すなわち、絵画１９の近傍には音声通報装置２０が設置されている。この音声通報装置２０は、図２に示した構成と同一である。観客２１ａは米国人であり装着している識別情報発信機２２ａには国籍データが格納されている。同様に観客２１ｂはフランス人であって識別情報発信機２２ｂには国籍データが格納され、観客２１ｃは韓国人であって識別情報発信機２２ｃには国籍データが格納されている。図示していないが、識別情報発信機を装着していない観客は日本人とする。
【００２９】
米国人の観客２１ａの識別情報発信機２２ａからの赤外線パルスを受信判別部１４にて受信し、かつ、人感センサ１５が観客２１ａを検知すると、制御部１６は米国人の観客が絵画１９の前に来たことを認識する。データメモリ１７から英語による絵画案内データを読み出し、スピーカ１８から音声案内がなされる。同様にしてフランス人の観客２１ｂが絵画１９の前に来たときにはフランス語による音声案内がなされ、韓国人の観客２１ｃが来たときには韓国語による音声案内がなされる。
【００３０】
識別情報発信機を装着していない日本人が絵画１９の前に来たときには、人感センサ１５のみの検知により日本語による絵画案内データが読み出され、音声案内がなされる。なお、この例では音声通報装置２０を絵画１９の近傍に設置したが、絵画１９の額縁２３内部に組み込むことも可能である。また、データ入力端子２６を利用して、対応する外国人の国籍を追加したり、音声案内の内容を変更したりすることも可能である。
【００３１】
図４には簡潔に来客者のみを示してあるが、例えば、アミューズメントパーク、デパートあるいは各種の催事場などで来客者に応じたサービスを音声案内するために、女性２４ａ、お年寄り２４ｂ、子供２４ｃにそれぞれ女性、お年寄り、子供を示すデータが格納されている識別情報発信機２５ａ、２５ｂ、２５ｃを装着し、男性２４ｄは識別情報発信機を未装着とする。このようにして、男性、女性、お年寄り、子供それぞれを検出次第、顧客に応じた音声通報を行うようにすることができる。
【００３２】
次に本発明に係わる音声通報装置の詳細を図５を参照して説明する。すなわち、音声通報装置３０は、一点鎖線で示した本体部３１と各種入出力機器から構成されている。全体の制御は中央処理部３２にて実行され、この中央処理部３２にはデータメモリ１７が接続されている。表示部３３、操作キー３４、時計３５も中央処理部３２に接続されている。中央処理部３２にはデータ入力端子２６が接続されており、このデータ入力端子２６には外部メモリであるＵＳＢメモリ３６が接続可能となっている。このデータ入力端子２６からデータメモリ１７に格納されている音声情報を追加・更新することが可能である。また、保守ツール３７も中央処理部３２に必要に応じて接続される。保守ツールとしては、論理設定条件やプログラムの更新を行う。
【００３３】
更に、中央処理部３２にはデコーダ３８、アンプ３９を介してスピーカ１８が接続されている。中央処理部３２には、論理条件設定部４０を介して受信判別部１４並びにセンサ部４１が接続されている。受信判別部１４は非接触状態でデータを発信する識別情報発信機４２からの信号を受信し判別を行う。すなわち、受信判別部１４は、識別情報を含んだ信号を検知する。センサ部４１は、人感センサ１５、温度センサ４３、湿度センサ４４、照度センサ４５から構成されている。なお、図示しないが音声通報装置の各部を駆動するための電源電池が組み込まれている。
【００３４】
さて、このような構成の音声通報装置３０において、データメモリ１７にはあらかじめ設定されている条件毎に通報すべき音声情報のデータが記憶されている。識別情報発信機４２には識別情報を含んだ信号を赤外線にて送信する機能を有しており、送信された識別情報は受信判別部１４にて受信され、かつ、識別情報の判別を行う。
【００３５】
人感センサ１５は赤外線などを検知して近接する人を検出するセンサで、特定の識別情報を有する識別情報発信機４２からの信号を受信すると、この受信信号と人感センサ１５からの接近情報を用いて論理条件設定部４０にてあらかじめ設定されている条件を満足した場合、すなわち、あらかじめ定めた論理条件が成立した場合、中央処理部３２はこの設定条件に応じた音声データをデータメモリ１７から読み出し、デコーダ３８、アンプ３９を介してスピーカ１８から音声通報情報として出力する。
【００３６】
センサ部４１に組み込まれている他のセンサとして、温度センサ４３、湿度センサ４４、照度センサ４５については、それぞれ音声通報装置３０の設置されている近傍の環境条件を検知するものであって、これらのセンサからの出力信号も論理条件設定部４０における条件設定要素となる。例えば、識別情報発信機４２からの信号を受信し、人感センサ１５からの信号も受信し、かつ、温度センサ４３から温度信号があらかじめ論理条件設定部４０で設定されている温度を超えた場合には、その条件に合致する音声通報を行うべく、データメモリ１７から該当するデータが読み出される。
【００３７】
同様にして、音声通報装置３０近傍の湿度、照度をそれぞれ湿度センサ４４、照度センサ４５にて検出しこの結果に応じた音声通報データが選択されることになる。他の条件が同一であっても一定の湿度を境にして音声通報内容を異ならせることが可能であり、一定の照度、すなわちある明るさを境にして音声通報内容を異ならせることが可能である。
【００３８】
また、本例ではセンサ部４１には人感センサ１５、温度センサ４３、湿度センサ４４、照度センサ４５が設けられているが、これらのセンサは変更することが可能であり、音声通報装置の設置環境、用途、対象に応じて最適なセンサに組み替えることができる。本例ではセンサ部４１には全て異なるセンサを組み込んだが、全てを同一センサにしたり、一部センサを同一センサにすることも有効である。同一センサを組み込んだ場合には、それぞれのしきい値、すなわちオン／オフ値を異なる値に設定してそれぞれの値の際に通報される音声通報内容を異なる内容にするように利用できる。
【００３９】
データメモリ１７には、識別情報発信機４２からの識別データ並びに各種センサからの出力データを論理処理して想定される設定条件毎に定められた音声通報データを格納してある。なお、音声通報データは、適宜更新するがそのためには中央処理部３２に設けられたデータ入力端子２６、すなわち本例ではＵＳＢ端子にＵＳＢメモリ３６を接続してＵＳＢメモリ３６に格納されている新音声通報データに更新することが可能である
従って、データメモリ１７内に格納されている音声通報データは、音声データ形式がデジタル圧縮音源（ＭＰ３ Moving Picture Experts Group−１、Layer３）を採用しており、パーソナルコンピュータなどで容易に作成、編集することができる。また、データメモリ１７に格納する音声データファイルは入力日付管理もされていることから、ＵＳＢメモリ３６から供給されるデータの中から最新のデータを選択する機能を有している。また、表示部３３は装置の各種状態を表示し、操作キー３４により動作モードや通報する音声の選択などを行うことができる。
【００４０】
また、時計３５が内蔵されていることにより、各種センサからの出力に加えて時計データ、すなわち時間、曜日などを論理条件として、異なる音声情報を通報することが可能である。
【図面の簡単な説明】
【００４１】
【図１】本発明に係わる実施形態の機能を説明するための図。
【図２】本発明に係わる実施形態の主要構成並びに動作を説明するための図。
【図３】本発明に係わる他の実施形態の主要構成並びに動作を説明するための図。
【図４】本発明に係わる他の実施形態の機能を説明するための図。
【図５】本発明に係わる実施形態の構成を示す図。
【符号の説明】
【００４２】
１１ａ…工事担当者、１１ｂ…試験担当者、１１ｃ…改造員、１１ｄ…他作業者、１２ａ、１２ｂ、１２ｃ、２２ａ、２２ｂ、２２ｃ、２５ａ、２５ｂ、２５ｃ、４２…識別情報発信機、１３…機器、１４…受信判別部、１５…人感センサ、１６…制御部、１７…データメモリ、１８…スピーカ、１９…絵画、２１ａ、２１ｂ、２１ｃ…観客、２３…額縁、２４ａ…女性、２４ｂ…お年寄り、２４ｃ…子供、２６…データ入力端子、２０、３０…音声通報装置、３１…本体部、３２…中央処理部、３３…表示部、３４…操作キー、３５…時計、３６…ＵＳＢメモリ、３７…保守ツール、３８…デコーダ、３９…アンプ、４０…論理条件設定部、４１…センサ部、４３…温度センサ、４４…湿度センサ、４５…照度センサ。
【図１】
2006058941.tif 000003
【図２】
2006058941.tif 000004
【図３】
2006058941.tif 000005
【図４】
2006058941.tif 000006
【図５】
2006058941.tif 000007